(57)【特許請求の範囲】
【請求項１】
底板の両側に対向状に配置され折畳み時に水平状の折り目を底板の上方に配置させて折返される一対の側板と、この側板に隣り合う底板の両側位置に対向状に配置され折畳み時に容器本体の開口面に押し上げられる一対のあおり板と、このあおり板と上記の側板と底板とを連結するコーナー部材とを備えた折畳み容器において、上記側板の折り目の位置に折り目に沿って切れ目が断続状に形成され、上記あおり板の下辺の中央位置に一方の嵌合片が設けられ、この一方の嵌合片が容器本体の組立て時に嵌合する他方の嵌合片が一方の嵌合片に対応する底板の側辺位置に設けられ、又上記のコーナー部材が、容器本体の上部の四隅に設けられた上部コーナー部材と、下部の四隅に設けられた下部コーナー部材とで形成され、上記他方の嵌合片が把手状に形成され、上記の上部コーナー部材は、その下端部が折畳み時に下部コーナー部材の上端部と嵌合自在に形成されると共に、その上端部が積み重ね時に下部コーナー部材の底部と嵌合自在に形成されたことを特徴とする折畳み容器。
【請求項２】
側板の上辺に上部フレームが上部コーナー部材と連続状に設けられ、この上部フレームが上部コーナー部材と載置面同士が面一に形成されると共に、上部コーナー部材の嵌合用の立上げ片と垂直面が面一に形成された立上げ片を備えてなることを特徴とする請求項１記載の折畳み容器。
【請求項３】
側板の下辺に下部フレームが設けられ、この下部フレームの下面が下部コーナー部材の下面と面一に形成されたことを特徴とする請求項１又は２記載の折畳み容器。
【発明の詳細な説明】
【０００１】
【産業上の利用分野】
本発明は、折畳み容器に関し、更に詳しくは側板やあおり板等をコーナー部材で連結し、保管時や運搬時は折畳みできるよう形成した折畳み容器に関するものである。
【０００２】
【従来の技術】
従来この種容器としては、底板の両側に対向状に配置され折畳み時に水平状の折り目を底板の上方に配置させて折返される一対の側板と、この側板に隣り合う底板の両側位置に対向状に配置され折畳み時に容器本体の開口面に押し上げられる一対のあおり板と、このあおり板と上記の側板と底板とを連結するコーナー部材とを備えてなるものがある（例えば実開平５ー２９９３２号公報参照）。
【０００３】
【発明が解決しようとする課題】
ところでこの種容器の場合は、少しでもコストを低廉化でき、保管時や運搬時に嵩張ることがないよう折畳みの高さを低くでき、又持ち運びが容易であるだけではなく、安定した状態で積み重ね（段積み）できるよう形成されるのが望ましい。
【０００４】
しかるに従来品は、例えば支点が二つあるヒンジを使用し、このヒンジの各支点の延長線上に形成した二本の折り目を介して折畳み可能に形成されていた。従って従来品によると、このような特殊なヒンジを使用しなければならない分、コストが高く付くことになり、又二本の折り目の形成間隔だけ折畳み時の高さが高くなるという問題点があった。
【０００５】
又従来のこの種容器は、例えば実公昭５８ー１６５０１号公報等に記載の考案の如く、あおり板に把手が形成されていた。従って従来品では、容器本体を折畳むと、把手が容器本体の開口面にあおり板と共に配置されたから、従来品によるとあおり板が立てられ容器としての利用が可能のときしか把手を利用できず、折畳み時における持ち運びが不便であるという問題点があった。
【０００６】
又従来品では、折畳み時に容器本体を積み重ねた際、安定した姿勢で支承できるような工夫が特に施されているものではなかったから、従来品によると、段積みした際にバランスを崩して容器が荷崩れし易いという問題点があった。
【０００７】
而してこの種容器にあっては、大きな衝撃や振動が使用中に加わることを避けられないから、耐衝撃性、耐久性が高くなるよう形成されるのが望ましい。従ってこの種容器の場合、容器本体の構成要素中、大きな面積を占める側板は、なるべく厚いもので形成するのが良いが、通常、側板は厚くなるほど折り目を介して折返す際の復元力、反発力が大きくなり折り畳みにくくなる。それ故この種容器では、厚い側板を使用でき、且つ折畳み操作を軽く楽にできるよう形成する必要がある。
【０００８】
本発明は、このような従来品の問題点を解消しようとするものである。
従って本発明の技術的課題は、厚い側板を使用でき、且つ折畳み操作を軽く楽にできながら、コストを安価にでき、折畳み時の高さを低くできるだけではなく、折畳み時における持ち運びを容易化でき、更には安定した状態で積み重ねできるよう形成した折畳み容器を提供することにある。
【０００９】
【課題を解決するための手段】
本発明は、上記の課題を解決するために次のような技術的手段を採る。
即ち本発明は、底板２の両側に対向状に配置され折畳み時に水平状の折り目３を底板２の上方に配置させて折返される一対の側板１と、この側板１に隣り合う底板２の両側位置に対向状に配置され折畳み時に容器本体７の開口面７ａに押し上げられる一対のあおり板６と、このあおり板６と上記の側板１と底板２とを連結するコーナー部材１０とを備えた折畳み容器において、上記側板１の折り目３の位置に折り目３に沿って切れ目４が断続状に形成され、上記あおり板６の下辺の中央位置に一方の嵌合片８が設けられ、この一方の嵌合片８が容器本体７の組立て時に嵌合する他方の嵌合片９が一方の嵌合片８に対応する底板２の側辺位置に設けられ、又上記のコーナー部材１０が、容器本体７の上部の四隅に設けられた上部コーナー部材１１と、下部の四隅に設けられた下部コーナー部材１２とで形成され、上記他方の嵌合片９が把手状に形成され、上記の上部コーナー部材１１は、その下端部１１ａが折畳み時に下部コーナー部材１２の上端部１２ａと嵌合自在に形成されると共に、その上端部１１ｂが積み重ね時に下部コーナー部材１２の底部１２ｂと嵌合自在に形成されたことを特徴とする。
【００１０】
この場合本発明では、側板１の上辺に上部フレーム１３が上部コーナー部材１１と連続状に設けられ、この上部フレーム１３が上部コーナー部材１１と載置面１１ｃ、１３ａ同士が面一に形成されると共に、上部コーナー部材１１の嵌合用の立上げ片１１ｄと垂直面が面一に形成された立上げ片１３ｂを備えてなるのが好ましい。
【００１１】
又本発明では、側板１の下辺に下部フレーム１４が設けられ、この下部フレーム１４の下面１４ａが下部コーナー部材１２の下面１２ｃと面一に形成されると良い。
【００１２】
【作用】
本発明では、切れ目４が折り目３に沿って断続状に形成されているから、この切れ目４によって側板１の復元力、反発力が弱まり折畳み易くなる。
組立てると、あおり板６の一方の嵌合片８が底板２に設けられた他方の嵌合片９に嵌合する。容器として使用中は、他方の嵌合片９を手がかりにする。又本発明では、折畳み時にあおり板６を押し上げると、一方の嵌合片８はあおり板６と共に容器本体７の開口面７ａに水平に配置されるが、把手状に形成された他方の嵌合片９は底板２の所定箇所に残る。従って折畳み時も、他方の嵌合片９を手がかりにして容器本体７を運搬できる。
又本発明では、折畳むと上部コーナー部材１１の下端部１１ａが下部コーナー部材１２の上端部１２ａと嵌合し、下部コーナー部材１２が上部コーナー部材１１を支承する。そして折畳み時や容器として使用中に積み重ねると、本発明の場合は上部コーナー部材１１の上端部１１ｂと積み重ねる他の容器の下部コーナー部材１２の底部１２ｂとが嵌合し、その結果安定した状態、姿勢を保つ。
【００１３】
【実施例】
以下、本発明の好適な一実施例を添付図面に従って説明する。
１は、底板２の両側に対向状に配置された一対の側板である。この側板１は、この実施例では段ボール状に形成された合成樹脂製の板で形成されている。３は、この側板１に例えば熱圧縮加工で水平状に形成された折り目である。この折り目３は、側板１の外面側が薄肉化されることで形成され、側板１は折畳み時にこの折り目３を底板２の上方に配置させて折返されるよう形成されている。
【００１４】
４は、側板１の折り目３の位置に折り目３に沿って断続状に形成された切れ目である。この切れ目４の寸法は、この実施例では全て同一に選定され、又切れ目４の間５（図２参照）の間隔は切れ目４の長さと同一に選定されている。
【００１５】
６は、側板１に隣り合う底板２の両側位置に対向状に配置された一対のあおり板である。このあおり板６は、折畳み時に容器本体７の開口面７ａに押し上げられるよう形成されている。８（図５等参照）は、このあおり板６の下辺の中央位置に設けられた一方の嵌合片である。９はこの一方の嵌合片８が容器本体７の組立て時に嵌合する他方の嵌合片である。この他方の嵌合片９は、一方の嵌合片８に対応する底板２の側辺位置に設けられている。又この他方の嵌合片９は、把手状に形成されている。尚８ａは嵌合用の挿し込み片、９ａ（図７、図９Ｃ等参照）はこの挿し込み片８ａが嵌合される凹部である。
【００１６】
１０は、上記のあおり板６と、側板１と、底板２とを連結する例えば合成樹脂製のコーナー部材である。このコーナー部材１０は、容器本体７の上部の四隅に設けられた上部コーナー部材１１と、下部の四隅に設けられた下部コーナー部材１２とで形成されている。上記の上部コーナー部材１１は、その下端部１１ａが折畳み時に下部コーナー部材１２の上端部１２ａと嵌合自在に形成されると共に、その上端部１１ｂが積み重ね時に下部コーナー部材１２の底部１２ｂと嵌合自在に形成されている。尚各コーナー部材１１、１２と側板１等とを連結する場合は、側板１等に各コーナー部材１１、１２を嵌着後、例えばカシメピンでかしめ止めすると良い。
【００１７】
１３（図１、図１２参照）は、側板１の上辺に上部コーナー部材１１と連続状に設けられる上部フレームである。この上部フレーム１３の載置面１３ａは、上部コーナー部材１１の載置面１１ｃと面一に形成されている。１３ｂは、この上部フレーム１３の立上げ片である。この立上げ片１３ｂは、上部コーナー部材１１の嵌合用の立上げ片１１ｄと垂直面が面一に形成されている。
【００１８】
又１４は、側板１の下辺に設けられた下部フレームである。この下部フレーム１４の下面１４ａは、下部コーナー部材１２の下面１２ｃと面一に形成されている。
【００１９】
１５（図４、図１４、図１５参照）は、側板１の両側辺の中央位置に取り付けられた雄型の嵌合部材、１６はこの嵌合部材１５と嵌合するようあおり板６の対応位置に取り付けられた雌型の嵌合部材である。組立て時に、これらの嵌合部材１５、１６が嵌着することで、あおり板６の回動が防止される。
又あおり板６の下端の両角部には、下部コーナー部材１２と嵌合し、あおり板６が内側に戻るのを防止するストッパー用の嵌合体１７（図１、図４参照）が夫々取り付けられている。尚この実施例では、側板１、底板２、あおり板６の側部に補強フレーム１８（図２、図４等参照）が適宜取り付けられている。
【００２０】
次にこの実施例の作用を説明する。
組立時は、図３に示される折畳み状態から、図４に示される状態を経て、図２に示される如く、側板１を起立させて垂直に一平面化させ、あおり板６を押し下げて上記一方の嵌合片８を底板２に設けられた他方の嵌合片９に嵌合させる。
【００２１】
又折畳む際は、先ずあおり板６を押し上げ（図１、図２の矢示線参照）、次に容器本体７を押し下げ、側板１を折返す。この場合本発明では、切れ目４が折り目３に沿って断続状に形成されているから、この切れ目４によって側板１の復元力、反発力が弱まり、軽く楽に折畳みできる。又一方の嵌合片８はあおり板６と共に容器本体７の開口面７ａに押し上げられるが、把手状に形成された他方の嵌合片９は底板２の側辺に残る。従って折畳み後、容器本体７を運搬する際は、この他方の嵌合片９を手がかりにする。
【００２２】
又折畳むと図３に示される如く、上部コーナー部材１１の下端部１１ａが下部コーナー部材１２の上端部１２ａと嵌合し、下部コーナー部材１２が上部コーナー部材１１を支承する。又折畳まれた状態、或は組み立てられて容器として使用されている状態で、容器本体７を積み重ねると、上部コーナー部材１１の上端部１１ｂと積み重ねられる他の容器の下部コーナー部材１２の底部１２ｂとが嵌合する。
【００２３】
以上の処において、本発明の場合、上記切れ目４の長さや形成間隔は任意である。
又側板１、底板２、あおり板６は、上例では段ボール状に形成された合成樹脂板でなるが、これに限られず、その他例えば通常の無垢の合成樹脂板、段ボール紙、圧縮紙、合板等で形成されるのでも良い。
【００２４】
【発明の効果】
以上説明したように本発明は、側板の折り目の位置に折り目に沿って切れ目を断続状に形成し、この切れ目によって側板の復元力、反発力を軽減し、厚い側板の使用を可能にするものである。
従って本発明は、例えば二支点を持つ特殊なヒンジを使用して厚い側板の折返しを容易化する従来品に比べ、ヒンジを省略できる分だけコストを安価にでき、又一本の折り目で側板が重合状に折返されるから、これによれば折畳み時の高さを低くできるという効果を奏する。
又本発明は、折畳み時にあおり板を押し上げ容器本体の開口面に配置しても、把手状に形成した他方の嵌合片が底板に残るよう形成したものである。従って本発明によれば、容器として使用中は勿論のこと、折畳み後も他方の嵌合片を手がかりに持ち運びが容易にできる。
又本発明では、コーナー部材が上記の如く形成された、上部コーナー部材と下部コーナー部材とでなるから、折畳むと下部コーナー部材が上部コーナー部材を支承し、段積みすると上部コーナー部材と下部コーナー部材とが嵌合するから、これによれば安定した状態で積み重ねでき、荷崩れを防止できるという利点がある。
【００２５】
又請求項２記載の場合は、上部コーナー部材と側板の上辺とにできる段差を、上部フレームによって一掃できる。
従ってこの本発明では、容器本体を積み重ねる際、積み重ねる容器の下部コーナー部材の角を、積み重ねられる容器の上部フレーム上に滑らせて段積みできるから、これによれば例えば両容器のコーナーを互いに嵌合するよう一方の容器を他方の容器上に降ろして段積みする場合に比べ、楽に積み重ねできるという利点がある。
【００２６】
更に請求項３記載の如く形成される場合は、下部フレームによって側板の左右方向の下面に段差ができるのを防止でき、下部コーナー部材と下部フレームの下面全体で荷重を受けることができる。
従ってこれによれば、接地状態が安定し、又積み重ね状態を一層安定化でき、更に側板の左右方向に容器を移動させる際、ローラコンベアを使用して効率良く搬送できる。
【図面の簡単な説明】
【図１】本発明容器の好適な一例を示す斜視図である。
【図２】同上容器の正面から見た斜視図である。
【図３】同上容器の折畳み時の一部を切欠した要部斜視図である。
【図４】同上容器の作用を示す斜視図である。
【図５】同上容器の一部を切欠した要部斜視図である。
【図６】同上容器の一部を切欠した要部正面図である。
【図７】図６の  ＶＩＩー  ＶＩＩ線における断面図である。
【図８】一方の嵌合片を示し、Ａは平面図、Ｂは正面図、Ｃは底面図、Ｄは右側面図、ＥはＢのＥーＥ線断面図である。
【図９】他方の嵌合片を示し、Ａは平面図、Ｂは正面図、Ｃは背面図である。
【図１０】Ａは他方の嵌合片の右側面図、Ｂは図９ＢのＸーＸ線断面図である。
【図１１】コーナー部材の取付け作用を示す一部を切欠した要部正面図である。
【図１２】上部コーナー部材の取付け作用を示す一部を切欠した要部側面図である。
【図１３】下部コーナー部材等の取付け作用を示す一部を切欠した要部側面図である。
【図１４】同上容器の一部を切欠した要部斜視図である。
【図１５】同上容器の一部を切欠した要部横断面図である。
【符号の説明】
１    側板
２    底板
３    折り目
４    切れ目
６    あおり板
７    容器本体
７ａ  開口面
８    一方の嵌合片
９    他方の嵌合片
１０  コーナー部材
１１  上部コーナー部材
１１ａ  下端部
１１ｂ  上端部
１２  下部コーナー部材
１２ａ  上端部
１２ｂ  底部
【図１】
0003613842.tif 000002
【図２】
0003613842.tif 000003
【図３】
0003613842.tif 000004
【図４】
0003613842.tif 000005
【図５】
0003613842.tif 000006
【図６】
0003613842.tif 000007
【図７】
0003613842.tif 000008
【図８】
0003613842.tif 000009
【図９】
0003613842.tif 000010
【図１０】
0003613842.tif 000011
【図１１】
0003613842.tif 000012
【図１２】
0003613842.tif 000013
【図１３】
0003613842.tif 000014
【図１４】
0003613842.tif 000015
【図１５】
0003613842.tif 000016